(57)【要約】  プログラムコードを記憶するメディアパッケージは、メディアパッケージの外部のプロセッサにおいて実行されるように意図されたプログラムコードの第１部分を記憶するメディア（１１０）と、状態（１２２）及びプログラムコードの第２部分を記憶する処理装置（１２０）とを有し、プログラムコードの第１部分及び記第２部分は、プログラムコードを実行するように実行されるときに相互作用するように適合される。処理装置（１２０）は、状態（１２２）を確認する手段（２１０）と、状態の確認が認証されたことを示す場合にプログラムコードの第２部分を実行する手段と、メディアパッケージの外部のプロセッサとの通信のための手段とを有する。処理装置（１２０）は、プログラムコードの第２部の実行を認証しない第１状態から、プログラムコードの第２部分の実行を認証する第２状態に状態（１２２）を設定するように、状態変化装置（１３０）をインタラクトするように適合されたインタフェース（２３０）を更に有する。
2010525438.tif 000002
【特許請求の範囲】
【請求項１】
プログラムコードを記憶するメディアパッケージであって：
該メディアパッケージの外部のプロセッサにおいて実行されるように意図された前記プログラムコードの第１部分を記憶するメディア；及び
状態及び前記プログラムコードの第２部分を記憶する処理装置；
を有するメディアパッケージであり、
前記プログラムコードの前記第１部分及び前記第２部分は、前記プログラムコードを実行するように実行されるときに相互作用するように適合され；
前記処理装置は、
前記状態を確認する手段と、
前記状態の前記確認が認証されたことを示す場合に、前記プログラムコードの前記第２部分を実行する手段と、
前記メディアパッケージの外部の前記プロセッサとの通信のための手段と、
を有し；
前記処理装置が、前記プログラムコードの第２部の実行を認証しない第１状態から、前記プログラムコードの第２部分の実行を認証する第２状態に前記状態を設定するように、状態変化装置とインタラクトするように適合されたインタフェースを更に有することを、前記メディアパッケージは特徴とする；
メディアパッケージ。
【請求項２】
請求項１に記載のメディアパッケージであって、前記第１状態にある前記メディアパッケージは、少なくとも１つの盗難防止ポータルとインタラクトするように適合されている、メディアパッケージ。
【請求項３】
請求項１に記載のメディアパッケージであって、前記処理装置は、前記状態変化装置を認証する手段を更に有する、メディアパッケージ。
【請求項４】
請求項１に記載のメディアパッケージであって、前記インタフェースは無線周波数（ＲＦ）インタフェースである、メディアパッケージ。
【請求項５】
請求項１に記載のメディアパッケージであって、前記メディアは前記処理装置を有する、メディアパッケージ。
【請求項６】
請求項１乃至５の何れか一項に記載のメディアパッケージを有するシステムであって：
状態変化装置；及び
前記状態変化装置を認証するように適合されたサーバ；
を有するシステムであり、
前記状態変化装置は、成功裏の認証時にのみ、前記状態を変えるように適合されている；
システム。
【請求項７】
請求項６に記載のシステムであって、前記サーバは、成功裏の認証時に、前記処理装置への転送のために前記状態変化装置に前記プログラムコードの前記第２部分を送信するように更に適合されている、システム。
【請求項８】
請求項７に記載のシステムであって、前記サーバは、前記処理装置が前記プログラムコードの前記第２部分を送信する前にリボークされたかどうかを確認するように更に適合されている、システム。
【請求項９】
プログラムコードを実行する方法であって、前記プログラムコードの第１部分がメディアに記憶され、第２部分が処理装置に記憶されている、方法であって：
前記プログラムコードの前記第１部分の機能をプロセッサにより実行するステップ；
前記プログラムコードの前記第２部分の少なくとも１つの機能の実行を要求するように、前記プロセッサが前記処理装置と通信するステップ；
前記プログラムコードの状態が第１値に等しいことを前記処理装置が確認するステップ；
前記確認が肯定的な場合に、前記プログラムコードの前記第２部分の少なくとも１つの機能を前記処理装置が実行するステップ；及び
前記プログラムコードの前記第２部分の前記少なくとも１つの機能が実行されたことを、前記プロセッサに通知するように前記プロセッサと前記処理装置が通信するステップ；
を有する方法。
【請求項１０】
請求項９に記載の方法であって、前記処理装置は、前記プロセッサに少なくとも１つの計算値を更に戻す、方法。
【発明の詳細な説明】
【技術分野】
【０００１】
本発明は、一般に、デジタルコンテンツ保護に関し、特に、記録済みメディアにおけるデジタルコンテンツの保護に関する。
【背景技術】
【０００２】
ここでは、本発明の種々の特徴に関連する、当該技術分野の種々の側面について読者に紹介することを意図している。そのような紹介は、本発明の種々の特徴の十分な理解を容易にする背景の情報を読者に提供する助けになると考えられる。従って、それらの紹介は、この観点で読まれるべきであり、従来技術の是認ではないことが理解される必要がある。
【０００３】
以下、例示として用いられる、ＤＶＤにおけるコンピュータゲーム等のデジタルコンテンツは、例えば、通常、金銭的な利益のために、それをコピーし、そのコピーを広めたいと思う著作権侵害者にとってかなり欲しいものである。小規模の場合、そのようなコンピュータゲームは、高価過ぎて購入することができないと思うひとによりしばしば盗まれる。
【０００４】
当然、記録済みメディアのコピー防止は、例えば、暗号化（ＡＡＣＳ（Ａｄｖａｎｃｅｄ  Ａｃｃｅｓｓ  Ｃｏｎｔｅｎｔ  Ｓｙｓｔｅｍ）及びＣＳＳ（Ｃｏｎｔｅｎｔ  Ｓｃｒａｍｂｌｉｎｇ  Ｓｙｓｔｅｍ））、規格外レイアウト、及びアンチリッピング解決方法のためのエラーの導入と同程度の多様化した技術を利用して、広く検討されてきた分野である。しかしながら、それらの技術は、変化が乏しく、それ故、結局、著作権侵害に対抗することができない傾向にある。他の方法、例えば、自己保護形デジタルコンテンツ（Ｋｏｃｈｅｒ  Ｐ．等，Ｃｒｙｐｔｏｇａｒａｐｈｙ  Ｒｅｓｅａｒｃｈ  ２００２）は、僅かな再生可能性について紹介している。
【０００５】
最も有望な解決方法は、アクティブコンポーネントと静的メディアを組み合わせることであると考えられ、その組み合わせにおいては、アクティブコンポーネントはコピー保護システムに関係している。そのような解決方法の１つは、特定のハードウェアが適切に実行されるコンピュータに接続される必要がある、所謂、ドングルを用いることである。
【０００６】
一方、ＲＦＩＤ（Ｒａｄｉｏ  Ｆｒｅｑｕｅｎｃｙ  Ｉｄｅｎｔｉｔｙ）タグは、盗難防止システムで既に用いられている。タグ検出器ポータルスポットは、アクティブなタグを用いて通過するように試みるが、この種のシステムは、比較的容易に回避されることが可能である。
【０００７】
従って、当該技術分野のコピー保護を改善する解決方法についての要請が存在することを理解することができる。
【発明の概要】
【発明が解決しようとする課題】
【０００８】
本発明は、上記解決方法を提供することができる。
【課題を解決するための手段】
【０００９】
第１の特徴において、本発明は、プログラムコードを記憶するメディアパッケージを提供する。メディアパッケージは、メディアパッケージの外部のプロセッサにおいて実行されるように意図されたプログラムコードの第１部分を記憶するメディアと、プログラムコードの状態及び第２部分を記憶する処理装置と、を有し、プログラムコードの第１部分及び第２部分は、プログラムコードを実行するように実行されるときに相互作用するように適合されている。処理装置は、状態を確認する手段と、その状態の確認が許可されたことを示す場合に、プログラムコードの第２部分を実行する手段と、メディアパッケージに対して外付けのプロセッサとの通信のための手段とを有する。処理装置は、プログラムコードの第２部分の実行を許可しない第１状態からプログラムコードの第２部分の実行を許可する第２状態にその状態を設定するように、状態変化装置とインタラクトするように適合されたインタフェースを更に有する。
【００１０】
好適な第１実施形態においては、第１状態にあるメディアパッケージは、少なくとも１つの盗難防止ポータルとインタラクトするように適合される。
【００１１】
好適な第２実施形態においては、処理装置は、状態変化装置を許可する手段を更に有する。
【００１２】
好適な第３実施形態においては、インタフェースは無線周波数（ＲＦ）インタフェースである。
【００１３】
好適な第４実施形態においては、メディアは処理装置を有する。
【００１４】
第２の特徴においては、本発明は、第１の特徴のメディアパッケージと、状態変化装置と、状態変化装置を許可するように適合されたサーバと、を有するシステムを提供する。状態変化装置は、成功裏の認証時にのみ、状態を変化させるように適合されている。
【００１５】
好適な実施形態においては、サーバは、成功裏の認証時に、処理装置への転送のために状態変化装置にプログラムコードの第２部分を送信するように更に適合されている。プログラムコードの第２部分を送信する前に処理装置がリボークされたかどうかを確認するように更に適合されていることは有利である。
【００１６】
第３の特徴においては、本発明は、第１部分がメディアに記憶され、第２部分が処理装置に記憶されるプログラムコードを実行する方法を提供する。プロセッサは、プログラムコードの第１部分の機能を実行し、プログラムコードの第２部分の少なくとも１つの機能の実行を要求するように処理装置と通信する。処理装置は、その状態が第１値に等しいことを確認する。その確認が肯定的な場合、処理装置は、プログラムコードの第２部分の少なくとも１つの機能を実行し、プログラムコードの第２部分の少なくとも１つの機能が実行されたことについてプロセッサに情報を与えるようにプロセッサと通信する。
【００１７】
好適な実施形態においては、処理装置は、少なくとも１つの計算された値をプロセッサに更に戻す。
【００１８】
本発明の好適な特徴について、以下に、例示として、添付図を参照しながら詳述する。
【図面の簡単な説明】
【００１９】
【図１】本発明のコピー保護システムの一般的な発明概念について示す図である。
【図２】本発明の好適な実施形態に従った非接触スマートカードを示す図である。
【図３】本発明の好適な実施形態に従った状態変化装置を示す図である。
【図４】本発明の好適な実施形態に従ったメディア読み取り装置を示す図である。
【図５】本発明の好適な実施形態に従ったメディアにおけるコンテンツを再生する方法を示す図である。
【発明を実施するための形態】
【００２０】
図１は、本発明のコピー保護システムの一般的な発明概念を示している。システム１００は、プログラムコードの第１部分１１２が記憶されたメディア１１０を有する。システム１００は、暗号化計算を実行し、プログラムを実行することができるアクティブコンポーネントであるセキュアチップ１２０を更に有する。
【００２１】
セキュアチップ１２０は、メディア１１０の内部にある（そのメディアに組み込まれて）又はメディア１１０の外部にあることが可能である。特に、後者の場合、セキュアチップ１２０が特定のメディア１１０のみと共に使用可能であるという意味で、メディア１１０に連結されていることは好ましいことである。
【００２２】
セキュアチップ１２０は、状態１２２及びプログラムコードの第２部分１２６を記憶する。プログラムコードの第１部分１１２及び第２部分１２６は、プログラムコードを実行するように相互作用するように適合されている。
【００２３】
システム１００はまた、販売場所に有利に位置付けられた少なくとも１つの状態変化装置１３０を有する。状態変化装置１３０は、状態１２２を変更することにより盗難防止機能を無効化するように、セキュアチップ１２０と通信するように適合されている。
【００２４】
更に、システム１００は、プロセッサ１４２におけるプログラムコードの第１部分１１２をダウンロードして実行することにより、メディアとインタラクトする、例えば、パーソナルコンピュータ又は専用ゲームコンソール等の少なくとも１つのメディア読み取り装置１４０を有する。メディア読み取り装置１４０は、それ故、セキュアチップ１２０と通信するように、及びプログラムコードの第１部分１１２を実行するように、メディア１１０に記憶されているプログラムコードの第１部分１１２を読み取るように適合されることが可能である。
【００２５】
更に、システム１００は、下で更に説明するように、販売場所に位置している状態変化装置１３０と通信して認証するように適合された、恐らく遠隔のサーバ１５０を有することが可能である。
【００２６】
メーカサイトから離れるとき、セキュアチップ１２０の状態１２２は、好適には、メディアがメディア読み取り装置により十分に使用可能又はアクセス可能でないことを意味するＡＮＴＩ＿ＴＨＥＦＴと呼ばれる状態に設定される。顧客がメディア１１０を購入するとき（又は、他の適切なとき）、セキュアチップの状態１２２は、状態変化装置１３０及び何れかの適切な従来技術の方法を用いて、ＡＣＴＩＶＥに変えられる。しかしながら、既知の方法に加えて、セキュアチップ１２０は、状態変化装置１３０を認証し、成功裏の認証時にのみ、状態１２２を変える。状態ＡＮＴＩ＿ＴＨＥＦＴは、セキュアチップ１２０がＡＮＴＩ＿ＴＨＥＦＴ状態（ＡＣＴＩＶＥ状態ではなく）における盗難防止ポータルを通過する場合にアラームを設定するように、販売場所で盗難防止ポータル等を相互作用するように更に適合されることは有利である。
【００２７】
顧客がプログラムコードを用いるとき、プログラムコードの第２部分１２６の少なくとも一部へのアクセスが必要であり、そのことは、メディア読み取り装置１４０が、挿入される、又は読み取りのためにアクセス可能にされるメディア１１０を必要とすることを意味する。しかしながら、プロセッサ１４２は、全部のプログラムコードを直接用いることができないため、プログラムコードの第１部分１１２は、セキュアチップ１２０により実行されるプログラムコードの第２部分の機能を有するように、セキュアチップと通信するようにデザインされている。セキュアチップ１２０の状態１２２がＡＣＴＩＶＥに等しい場合、セキュアチップ１２０は、プログラムコードの第２部分１２６の少なくとも１つの機能を実行し、その実行される機能に依存して、結果及び／又は更なるデータを戻す、若しくは、プロセッサ１４２がプログラムコードの第１部分１１２の実行を再開することが可能であることを示すメッセージを単に戻す。状態１２２がＡＣＴＩＶＥに等しくない（例えば、ＡＮＴＩ＿ＴＨＥＦＴの場合等の）場合、セキュアチップ１２０は、好適には、戻す情報はないが、セキュアチップは乱数を戻すことがまた、可能である。プログラムコードの実行は、適切に実行される正確な情報を必要とするため、プログラムコードの実行は、セキュアチップが必要な機能を適切に実行しない場合に、悪化モードに進む又は失敗する。
【００２８】
代替の実施形態においては、セキュアチップ１２０と状態変化装置１３０との間のインタラクトはより複雑である。状態変化装置１３０は遠隔のサーバ１５０に接続されている。一旦、セキュアチップ１２０が状態変化装置１３０を認証すると、後者は、サーバ１５０から、セキュアチップ１２０に特有の情報（又は、サーバがデータベースである場合、探索する）をサーバ１５０から要求される。その情報は、プログラムコードの第２部分１２６を完了するように用いるセキュアチップ１２０に安全に送信される。この代替の実施形態はより複雑である一方、その実施形態は、サーバ（又は、データベース）１５０がそれに何れかの情報を戻すことを拒否するように、状態変化装置１３０をリボークすることが可能であるために、状態変化装置１３０の盗難の影響は限定される。各々のメディア（又は、メディアのバッチ）は特定のシリアル番号又は識別子を有することが可能であり、遠隔サーバ１５０から戻されたデータはメディア（メディアのバッチ）について特定であることに、更に留意する必要がある。状態変化装置１３０は、ある意味で、直接又は間接を問わず、確認センタとしての機能が、例えばまた、セキュアチップ１２０及びサーバ１５０が互いに通信することを単に可能にする装置でもあり得、換言すれば、状態変化装置は透明性がある。
【００２９】
サーバ１５０は、セキュアチップ１２０に特定の何れかの情報を戻す前に、セキュアチップ１２０が特別のリスト（無効化リスト）にリストアップされているかどうか、例えば、そのセキュアチップが盗難されたとして報告されたものであるかどうか、又は、そのセキュアチップが、何らかの他の理由で、使用できないかどうかを調べることは有利である。この場合、サーバ１５０は、状態変化装置１３０に必要な情報を提供することを拒否する。この有利点により、例えば、盗難されたバッチが容易に販売されないことを確実にすることが可能である。
【００３０】
好適な実施形態においては、本発明は、メディアに記憶されているコンピュータプログラムのためのシステムを提供する。その好適な実施形態においては、メディア１００は、ＤＶＤ（Ｄｉｇｉｔａｌ  Ｖｅｒｓａｔｉｌｅ  Ｄｉｓｃ）であり、セキュアチップ１２０は、ＤＶＤに組み込まれた非接触スマートカードである。
【００３１】
図２は、本発明のその好適な実施形態の非接触スマートカードを示している。非接触スマートカード２００は次の構成要素（−で示す）を有する。
−  処理ユニット２１０
−  メディア読み取り装置１４０及び状態変化装置１３０との通信のための無線周波数（ＲＦ）インタフェース２３０
−  揮発性ランダムアクセスメモリ（ＲＡＭ）等のメモリ２２０
−  不揮発性メモリ２４０（少なくとも次のデータ（○で示す）を記憶するように適合されている）
○  状態１２２、
○  プログラムコードの第２部分１２６、
○  好適に一意のＤｉｆｆｉｅ−Ｈｅｌｌｍａｎ（ＤＨ）１０２４ビットの認証された鍵の対（Ｋｐｕｂ１，Ｋｐｒｉ１）及び公開鍵Ｋｓｉｇｎ１についての証明書を有する第１認証データ２２６であって、ここで、
・  Ｋｐｒｉ１はＤＨ−１０２４秘密鍵であり、好適には、各々のスマートカード２００について一意であり、
・  Ｋｐｕｂ１は対応する署名された公開鍵であり、Ｋｐｕｂ１の証明書は、Ｋｓｉｇｎ１に対応する秘密鍵により署名されていて、
・  Ｋｓｉｇｎ１は、全てのスマートカード２００及び状態変化装置１３０に対して共通である、
第１認証データ２２６、
○  好適に一意のＤＨ１０２４ビットの認証された鍵の対（Ｋｐｕｂ２，Ｋｐｒｉ２）及び公開鍵Ｋｓｉｇｎ２についての証明書を有する第２認証データ２２８であって、ここで、
・  Ｋｐｒｉ２はＤＨ−１０２４秘密鍵であり、好適には、各々のスマートカード２００について一意であり、
・  Ｋｐｕｂ２は対応する署名された公開鍵であり、Ｋｐｕｂ２の証明書は、Ｋｓｉｇｎ２に対応する秘密鍵により署名されていて、
・  Ｋｓｉｇｎ２は、全てのスマートカード２００及び状態変化装置１４０に対して共通である、
第２認証データ２２８
○  下で説明するアルゴリズムを実行するように適合された第１コンピュータプログラム
図３は、本発明の好適な実施形態に従った状態変化装置を示している。状態変化装置１３０は、次の構成要素（−で示す）を有する。
−  処理ユニット３１０
−  スマートカード２００と通信するように適合されたＲＦインタフェース３３０
−  メモリ３２０
−  不揮発性メモリ３４０（次のもの（○で示す）を記憶するように適合されている）
○  好適に一意のＤＨ１０２４ビットの認証された鍵の対（Ｋｐｕｂ３，Ｋｐｒｉ３）及び公開鍵Ｋｓｉｇｎ１についての証明書を有する第３認証データ３４２であって、ここで、
・  Ｋｐｒｉ３はＤＨ−１０２４秘密鍵であり、好適には、各々の状態変化装置１３０について一意であり、
・  Ｋｐｕｂ３は対応する署名された公開鍵であり、Ｋｐｕｂ３の証明書は、Ｋｓｉｇｎ１に対応する秘密鍵により署名されていて、
・  Ｋｓｉｇｎ１は、全てのスマートカード２００及び状態変化装置１３０に対して共通である、
第３認証データ３４２、
○  下で説明するアルゴリズムを実行するように適合された第２コンピュータプログラム
図４は、本発明の好適な実施形態に従った状態変化装置を示している。メディア読み取り装置１４０は、次の構成要素（−で示す）を有する。
−  処理ユニット１４２
−  スマートカード２００と通信するように適合されたＲＦインタフェース４３０
−  メモリ４２０
−  不揮発性メモリ４４０（次のもの（○で示す）を記憶するように適合されている）
○  好適に一意のＤＨ１０２４ビットの認証された鍵の対（Ｋｐｕｂ４，Ｋｐｒｉ４）及び公開鍵Ｋｓｉｇｎ２についての証明書を有する第４認証データ４４２であって、ここで、
・  Ｋｐｒｉ４はＤＨ−１０２４秘密鍵であり、好適には、各々の状態変化装置１４０について一意であり、
・  Ｋｐｕｂ４は対応する署名された公開鍵であり、Ｋｐｕｂ４の証明書は、Ｋｓｉｇｎ２に対応する秘密鍵により署名されていて、
・  Ｋｓｉｇｎ２は、全てのスマートカード２００及びメディア読み取り装置１４０に対して共通である、
第４認証データ４４２、
○  下で説明するアルゴリズムを実行するように適合された第３コンピュータプログラム
−  メディア１１０からプログラムコードの第１部分１１２を読み取るためのＤＶＤインタフェース
工場を出荷されるとき、各々のスマートカード２００の状態１２２は値ＡＮＴＩ＿ＴＨＥＦＴに設定されている。メディアの購入時に、状態変化装置１３０は、次のような状態１２２に変更して用いられる。状態変化装置１３０の処理ユニット３１０及びスマートカード２００の処理ユニット２１０は、それらのそれぞれのＲＦインタフェース３３０、２３０を介して通信し、第１認証データ２２６及び第３認証データ３４２を用いて、認証されたＤｉｆｆｉｅ−Ｈｅｌｌｍａｎプロトコルを実行することを試みる。スマートカード２００のプロセッサ２１０は、第２認証データ３４２の証明書が状態変化装置１３０に属すことを確認する。その認証が成功した場合、状態変化装置１３０は、状態を変えるコマンドをスマートカード２００に送信する、コマンドの受信時に、スマートカード２００は、その状態をＡＣＴＩＶＥに変える。その認証が失敗した場合、スマートカード２００は、状態変化装置１３０により発せられた何れかのコマンドを実行することを拒否する。
【００３２】
図５は、プロセッサ１４２における第１部分１１２及びセキュアチップ１２０における第２部分を実行することにより、プログラムコードを実行する方法を示している。そのプログラムコードの実行は、プロセッサ１４２における第１部分１１２の実行により参照番号５００から開始する。参照番号５１０において、プロセッサ１４２は、実行を渡すように、セキュアチップ１２０と通信する。セキュアチップ１２０は、その場合、第２部分１２６の少なくとも１つの機能を実行し、参照番号５２０において、実行を渡す。同様の実行は、参照番号５３０、５４０、５５０及び５６０において現れる。実行を渡すように送信されるメッセージは、変数又は他のデータを有することが可能である。
【００３３】
理解できるであろうように、本発明は、記録済みメディアにおけるプログラムコードの保護を可能にする。
【００３４】
以上、本発明について、単に例示として説明されていることが理解できる。本明細書、（適切な場合には）特許請求の範囲及び図において開示されている各々の特徴は、独立して又は何れかの適切な組み合わせで与えられることが可能である。ハードウェアで実行されるように記載されている特徴はまた、ソフトウェアで実行されることが可能であり、その逆も可能である。接続は、適切な場合には、無線又は有線として実施されることが可能であり、必ずしも、直接の又は専用の接続ではない。
【図１】
2010525438.tif 000003
【図２】
2010525438.tif 000004
【図３】
2010525438.tif 000005
【図４】
2010525438.tif 000006
【図５】
2010525438.tif 000007
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
プログラムコードを記憶するメディアパッケージであって：
該メディアパッケージの外部のプロセッサにおいて実行されるように意図された前記プログラムコードの第１部分を記憶するメディア；及び
状態及び前記プログラムコードの第２部分を記憶する処理装置；
を有するメディアパッケージであり、
前記プログラムコードの前記第１部分及び前記第２部分は、前記プログラムコードを実行するように実行されるときに相互作用するように適合され；
前記処理装置は、
前記状態を確認する手段と、
前記状態の前記確認が認証されたことを示す場合に、前記プログラムコードの前記第２部分を実行する手段と、
前記メディアパッケージの外部の前記プロセッサとの通信のための手段と、
前記処理装置が、前記プログラムコードの第２部の実行を認証しない第１状態から、前記プログラムコードの第２部分の実行を認証する第２状態に前記状態を設定するように、状態変化装置をインタラクトするように適合されたインタフェースと、
を有し；
前記インタフェースが、前記メディアパッケージが前記第１状態にあるときに、少なくとも１つの盗難防止ポータルとインタラクトするように適合された無線周波数インタフェースであることを、前記メディアパッケージは特徴とする；
メディアパッケージ。
【請求項２】
請求項１に記載のメディアパッケージであって、前記処理装置は、前記状態変化装置を認証する手段を更に有する、メディアパッケージ。
【請求項３】
請求項１に記載のメディアパッケージであって、前記メディアは前記処理装置を有する、メディアパッケージ。
【請求項４】
請求項１乃至３の何れか一項に記載のメディアパッケージを有するシステムであって：
状態変化装置；及び
前記状態変化装置を認証するように適合されたサーバ；
を有するシステムであり、
前記状態変化装置は、成功裏の認証時にのみ、前記状態を変えるように適合されている；
システム。
【請求項５】
請求項４に記載のシステムであって、前記サーバは、成功裏の認証時に、前記処理装置への転送のために前記状態変化装置に前記プログラムコードの前記第２部分を送信するように更に適合されている、システム。
【請求項６】
請求項５に記載のシステムであって、前記サーバは、前記処理装置が前記プログラムコードの前記第２部分を送信する前に無効化されたかどうかを確認するように更に適合されている、システム。
【国際調査報告】
2010525438.tif 000008
2010525438.tif 000009
2010525438.tif 000010